(57)【要約】【課題】  携帯型デイジタル放送受信機は、バッテリーの消費の低減のため、電源オフのとき、受信機内の未使用機能の電源を完全に落とす処理がなされる。一方、電源投入時、まず受信したデータを解析して初期化データを入手し、次段のブロックの初期化を行うため、データパスにおける前のブロックの初期化が終わって正常動作となるまで後ブロックの初期化用データが得られず、装置全体としての起動時間が長くなるという課題があった。【解決手段】  地上デジタル放送を受信した際に入手した、特に復調部１０３と音声複合部１０５、映像複合部１０７に対する初期化パラメータを蓄積する不揮発性記憶部１１２を設ける。次回の電源投入時には、放送されているデータに含まれるパラメータを入手する前に、不揮発性記憶部１１２に記憶している前回受信時のパラメータを利用して初期設定手段１１４ａが初期化を実施することで、システム全体の起動処理を短縮する。【選択図】図１
2006157595.tif 000002
【特許請求の範囲】
【請求項１】
受信したディジタル放送波を復調してデータ列化した復調信号を出力する復調部と、前記復調信号から抽出した制御パラメータに基づいて前記復調信号を音声デイジタル信号と映像デイジタル信号に分離する分離部と、前記分離部から出力された制御パラメータに基づいて前記音声ディジタル信号を音声信号に復号する音声復号部と、前記分離部から出力された制御パラメータに基づいて映像信号に復号する映像復号部と、前記復調部と分離部と音声復号部と映像復号部に電源を供給する電源部とを有する地上デジタル放送受信手段、
前記分離部、又は前記音声復号部、又は前記映像復号部の制御パラメータであって、前記地上デジタル放送受信手段により得られた最新のものを記憶する不揮発性記憶手段、
前記電源部の電源投入時に前記不揮発性記憶手段に記憶した前記制御パラメータを読み出して前記分離部と音声復号部と映像復号部とに初期設定する初期設定手段とを備えたことを特徴とする携帯型地上デジタル放送受信機。
【請求項２】
任意の受信開始時刻と任意の放送チャンネル番号とを設定する予約手段、
前記受信開始時刻に到達する所定時間前に前記携帯型地上ディジタル放送受信機の前記電源を自動的に投入する事前起動手段を備え、前記受信時刻前に前記初期設定手段が前記分離部と音声復号部と映像復号部とを初期設定することを特徴とする請求項１に記載の携帯型地上デジタル放送受信機。
【請求項３】
前記所定時間は１０秒以上３分以下であることを特徴とする請求項２に記載の携帯型地上デジタル放送受信機。
【請求項４】
受信したディジタル放送波を復調してデータ列化した復調信号を出力する復調手順と、
前記復調信号から抽出した制御パラメータに基づいて前記復調信号を音声デイジタル信号と映像デイジタル信号に自動的に分離する分離手順と、
前記分離部から出力された制御パラメータに基づいて前記音声ディジタル信号を音声信号に自動的に復号する音声復号手順と、
前記分離部から出力された制御パラメータに基づいて映像信号に自動的に復号する映像復号手順と、
前記分離部と音声復号部と映像復号部に供給する電源を制御する電源制御手順とを含む地上デジタル放送受信機の受信手順において、
前記分離部、又は前記音声復号部、又は前記映像復号部の制御パラメータの内、最新のものを不揮発性記憶手段に自動的に記憶する記憶手順と、
前記電源制御手順による電源投入時に前記不揮発性記憶手段に記憶した前記制御パラメータを読み出して前記分離部と音声復号部と映像復号部とに自動的に初期設定する初期設定手順とを含むことを特徴とする携帯型地上デジタル放送受信機の受信方法。
【発明の詳細な説明】
【技術分野】
【０００１】
この発明は、起動時間を短縮する機能を具備した携帯型地上デジタル放送受信機に関するものである。
【背景技術】
【０００２】
近年、映像・音声等の放送メディアをデジタル化し、マルチメディアとして柔軟に扱うことが一般化している。それに伴い、これまでにアナログ技術で製品化されてきた様々な機器がデジタル化され、「デジタル家電」として、従来のアナログ機器をリプレースする大きな市場を作り出している。
【０００３】
中でも、地上デジタルテレビジョン放送の受信機は、全世帯のほぼ１００％に普及している地上アナログテレビをリプレースするものと見られている。
【０００４】
地上デジタルテレビジョン放送では複数の階層で伝送を行うことが可能であり、その一つの階層を利用して、携帯型地上デジタル放送受信機を用いた携帯受信・移動受信が行われることになっている。例えば、携帯電話機と一体化したテレビ受信機などが想定されており、外出先で気軽にテレビを楽しむことができる。
【０００５】
このような携帯型地上デジタル放送受信機も含め、携帯型の機器では、一般的にバッテリー駆動を行う。限られたバッテリー容量に対して、消費電流を減らして駆動時間をできるだけ長くすることや、充電回数をできるだけ減らすことを目的とし、機器の中で現在使用していない機能ブロックの電源を完全に落とす処理が一般的に実装されている。
【０００６】
例えば、地上デジタル放送受信機能を有する携帯電話の場合、通常の電話待ち受け時間をできるだけ長くするために、テレビ視聴時以外は地上デジタル放送受信に関連する機能ブロックの電源をすべて落とす制御が考えられる。
【０００７】
ところで、マルチメディアを扱うデジタル家電では、同様な目的で利用されてきたアナログ機器と比較して、一般的に装置の初期起動が遅くなる傾向がある。その理由は、マルチメディアとしてデジタル化されているデータが伝送効率や保存効率を考慮するために圧縮されていたり、複数種のデータを多重するために付加情報が追加されていたり、データの並び替えなどが行われていることがほとんどであり、アナログデータと異なり、その一部分を切り取っただけではデータの内容が確認できないためである。このようなデータをもとのデータへ復元するためには、ある程度のデータ量を蓄積し、復元するための鍵となる情報を準備する必要がある。
【０００８】
また、デジタル家電は、ユーザーインタフェースが高度であり利便性が高くなっている反面、一般的にシステムが複雑となる傾向があり、システム全体を制御するソフトウェアの規模が大きくなるデメリットがある。その結果、ある機能を起動させるまでに経由しなければならない処理ステップ数が多くなり、機能を有効化するまでの時間がかかってしまうという問題もある。
【０００９】
殊に携帯型の機器の場合、前述のように未使用機能ブロックの電源を落とす制御が行われるため、目的の機能が最終的に利用できるようになるまでには非常に長い時間がかかってしまう。
【００１０】
このような状態に対して、ユーザーの立場から見ると、起動にかかる時間の絶対値そのものが長いことも問題であるが、これまでに利用してきたアナログ機器の起動時間とのギャップが、もっとも不満に思える部分であると考えられる。
【００１１】
このようなデジタル機器特有の問題を解決することを目的として、例えばデジタル放送の受信機の場合、映像信号における復元情報をかつての情報を元に予測し、画像信号が復元できない時間を短縮する方法が示されている。（例えば、特許文献１参照）
【００１２】
【特許文献１】特開２００１−６９４１４号公報（第９頁、第１図）
【００１３】
しかし、特許文献１における従来の起動時間短縮方法では、単に一つの機能ブロック（映像信号復号処理）のみの起動時間を短縮することが主眼であり、ユーザーが体感するはずであるシステム全体としての起動時間全体を効率化するには不十分であるといった問題があった。
【発明の開示】
【発明が解決しようとする課題】
【００１４】
従来の携帯型地上デジタル放送受信機は、以上に説明したように、起動後、目的の機能が最終的に利用できるようになるまでには非常に長い時間がかかってしまうという課題があった。
この発明は、上記のような課題を解決するためになされたものであり、装置全体としての起動時間を短縮した携帯型地上デジタル放送受信機を提供することを目的とする。
【課題を解決するための手段】
【００１５】
この発明の携帯型地上デジタル放送受信機は、受信したデジタル放送波を復調して復調信号を出力する復調部と、前記復調信号から受信した制御パラメータに基づいて前記復調信号を音声デジタル信号と映像デジタル信号に分離する分離部と、前記分離部から出力された音声デジタル信号から得た制御パラメータに基づいて前記音声デジタル信号を音声信号に復号する音声復号部と、前記分離部から出力された映像デジタル信号から得た制御パラメータに基づいて映像信号に復号する映像復号部と、前記復調部と分離部と音声復号部と映像復号部に電源を供給する電源部とを有する地上デジタル放送受信手段、
前記分離部、又は前記音声復号部、又は前記映像復号部の制御パラメータであって、前記地上デジタル放送受信手段により得られた最新のものを記憶する不揮発性記憶手段、
前記電源部の電源投入時に前記不揮発性記憶手段に記憶した前記制御パラメータを読み出して前記復調部と分離部と音声復号部と映像復号部とに初期設定する初期設定手段を備えたものである。
【発明の効果】
【００１６】
この発明の携帯型地上デジタル放送受信機によれば、前回の電源切断前の正常受信時に入手したパラメータを保存しておき、今回の起動時にそれを適切な手順にて再利用することにより、起動時間を短縮されている。その結果、バッテリー駆動装置で一般的に行われている未使用機能ブロックの電源断制御を行った場合においても機能の再起動が短時間で行うことが可能になる。結果として、装置利用時の利便性を保ったままバッテリーの駆動時間を延ばすことが可能となり、ユーザの利便性を高めることができる。
【発明を実施するための最良の形態】
【００１７】
実施の形態１．
図１は、この発明の実施の形態１における、携帯型地上デジタル放送受信機１の構成を示すブロック図である。
携帯型地上デジタル放送受信機１は、地上デジタル放送波を受信するためのアンテナ１０１と、アンテナ１０１が受信した信号の周波数を変換し所定のバンド幅で選択的に増幅する受信部１０２と、受信部１０２が出力した信号を復調してデータ列化したデジタル信号を出力する復調部１０３と、復調部１０３が出力したデジタル信号を音声デジタル信号、画像デジタル信号、その他の制御デジタル信号などに分離する分離部１０４を備えている。
【００１８】
更に、前記各デジタル信号から音声信号を得る音声復号部１０５と、音声信号を音波として出力する音声出力部１０６と、前記各デジタル信号から映像信号を得る映像復号部１０７と、文字放送データやチャンネル表示などの文字データを提示するための提示表示部１０８と、映像信号により画像を表示する映像・画像出力部１０９と、前記各部間の信号の授受を行うためのシステムバス１１０と、図示しないユーザがテレビ放送を見るための操作を入力するキーなどを含む操作部１１１と、後述する制御パラメータを、電源断後も記憶し次回の電源投入時に記憶を再生する不揮発性記憶部１１２と、通常の制御を行っている時に用いる主記憶部１１３と、以上に説明した各種の制御を実行する制御・演算部１１４とを備えている。
【００１９】
次に、携帯型地上デジタル放送受信機１の動作について説明する。図１において、携帯型地上デジタル放送受信機１は、制御・演算部１１４により全体が制御されている。携帯型地上デジタル放送受信機１を構成する上記説明の各処理部は、システムバス１１０を経由して制御・演算部１１４と接続され制御されている。ここで、便宜上システムバス１１０を共通化して記載しているが、もちろんすべての処理部が同一のシステムバスを利用する必要はなく、複数のシステムバスが存在していても同様に動作させることができる。また、システムバス１１０の物理的な形態は、パラレルバス／シリアルバスのどちらであるかは
本発明における本質的な問題ではないため、図１においては単一の線で表現するものとする。また、便宜上、制御・演算部１１４を１つのブロックとして表現しているが、物理的には複数のプロセッサが存在し、相互連携を採りながら全体の制御を行っている構成であってもかまわない。
【００２０】
受信部１０２では、アンテナ１０１より入力されたＵＨＦ帯の地上デジタル放送波を、復調部１０３で処理が行える周波数帯へダウンコンバートする。復調部１０３は、受信部１０２によってダウンコンバートされたＯＦＤＭ（Orthogonal Frequency Division Modulation：直交周波数分割多重）信号に対し、ＯＦＤＭ復調処理を行うことによってＴＳ（TransportStream）へ変換し、分離部１０４への出力を行う。復調されたデータ列であるＴＳは、映像信号・音声信号・データ放送用データ、制御パラメータ（後述）など、複数のメディアがパケット多重された形式となっている（図示せず）。
【００２１】
分離部１０４では、復調部１０３によって復調されたＴＳをメディア種別（ここで言うメディア種別とは音声、映像、データ放送用画像、制御パラメータ、などの信号である）ごとにパケットを分離し、それぞれのメディアに該当する処理部への受け渡しを行う。即ち、音声に関するパケットは音声復号部１０５へ転送され、復号処理が行なわれた後、音声出力部１０６により音声が再生される。同様に、映像に関するパケットは映像復号部１０７へ転送され、復号処理が行なわれた後、提示・表示部１０８においてデータ放送による静止画像との画面合成が行なわれ、最終的に映像・画像出力部１０９にて表示される。
制御パラメータについては次に説明するように処理される。
【００２２】
即ち、携帯型地上デジタル放送受信機を制御するための制御パラメータとデータ放送用のデータに関しては、システムバス１１０を経由して、主記億部１１３や制御・演算部１１４に転送される。データ放送用のパケットは、カルーセル伝送と呼ばれる繰り返し伝送方式により、ＴＳ内部に周期的に同一内容が多重されているため、一定時間のパケットを蓄積し、結合・解析を行う事によって、どの時点で放送の受信を開始したとしても同じ情報を受け取ることが可能である。そこで、制御・演算部１１４が受信パケットをチェックし、カルーセル１周期分のデータ量が正常に受信されたことを確認した後、有意なデータに変換する。変換したデータには、提示表示部１０８において映像データと画面合成させ、映像・画像表示部１０９に表示することができる情報のように利用者の目に見える情報だけではなく、様々な情報を含めることが可能となっている。図１の分離部１０４、音声復号部１０５、映像復号部１０７などはデジタル信号を処理する上での諸設定条件を設定されることによって正常な処理を行うことができる。この設定条件を制御パラメータと言う。
【００２３】
本発明の動作を説明する前に、まず、携帯型地上デジタル放送受信機１を動作させるための、一般的な起動手順を図３のフローチャートに示す。このフローは制御・演算部１１４において実行される。ここで、理解を助けるために、あらかじめ視聴を行う放送局は決定しているものとする。地上デジタルテレビジョン放送の場合、物理チャンネル番号と放送局とは一対一対応をしているため、この段階で受信部１０２への設定パラメータ（この場合は受信周波数）は確定している。
【００２４】
まずＳ１０１の処理にて、すべての機能ブロックに対して起動開始指示を実施する。受信部１０２、復調部１０３に関しては、処理Ｓ１０２において、視聴を行う放送局に関するパラメータの設定を行い、受信動作を開始する。
次に、制御・演算部１１４は復調部１０３の同期が確立しているか否かを確認する（Ｓ１０６）。そしてＯＫならＳ５０４で分離部の起動を開始する。即ち、復調部から送られてくるＴＳデータを解析して分離部へ初期化パラメータを設定する（Ｓ５０５）。このステップＳ５０５は解析動作を含んでいるために他のステップに対して５乃至１０倍の処理時間を必要とする。そして分離開始がＯＫなら、次に映像・音声復号部の起動を開始する（Ｓ５０７）。即ち、分離部から送られてくるＥＳデータを解析して映像・音声復号部へ初期化パラメータを設定する（Ｓ５０８）。このステップＳ５０８も解析動作を含んでいるために他のステップに対して５乃至１０倍の処理時間を必要とする。そして復号部の初期化が確認された（Ｓ１０９）後、映像音声の出力を開始する（Ｓ１１０）。
【００２５】
このように、地上デジタル放送では、分離部１０４、復号部１０５、１０７の各機能ブロックを放送内容に合わせて動作させるようにするために、必要なパラメータはすべてその機能ブロックが受信するデータに含まれて受信する仕組みとなっている。すなわち、基本的には前段の機能ブロックから正しいデータが到達するまでは初期化が行えず、しかも前段の処理には解析動作が含まれているために、起動にはある程度の長い時間がかかってしまう。
しかし、携帯受信向けの地上デジタル放送の場合、固定受信向け放送と比較して自由度が限られている。例えば放送の伝送帯域が狭いことによる制約や、小形化を優先した受信端末の機能的な制約によるものである。その結果、パラメータそのものの数は複数存在するが、実際の放送によって運用（利用）されるパラメータが、固定受信向け放送と比較して限定されている。このことは、すなわち同一パラメータを利用する機会が多くなることを意味する。実際、常に固定パラメータで運用を続けることも多い。
したがって、従来の制御・演算部１１４の処理（図３）を、図２のフローチャートのように起動手順を改めることにより、システム全体の起動時間を短縮する。
【００２６】
即ち、図２は図１の動作を示すフローであり、まずＳ１０１の処理にて、すべての機能ブロックに対して起動開始指示を実施する。もちろん、時間的にすべて厳密に同時刻である必要はなく、例えば制御・演算部１１４がクロック信号の速度で順を追って処理を行えば良い。受信部１０２、復調部１０３に関しては、処理Ｓ１０２において、視聴を行う放送局に関するパラメータの設定を行い、通常通りの受信動作を開始する。
【００２７】
次に、制御・演算部１１４は、Ｓ１０３の処理において不揮発性記憶部１１２より前回正常受信時の制御パラメータを読み出す（不揮発性記憶部１１２に記憶させる処理に付いては後述する）。ここで読み出す制御パラメータは、通常は各機能ブロック（分離部、音声／映像復号部）が現在受信中のデータを解析して、あるいは受信データから取り出して得られる結果と同種のものである。厳密には、現時点で放送されている制御パラメータとは異なる可能性があるが動作実績のある値であり、機能ブロックそのものに対してエラーを発生させる恐れのある値ではない。
【００２８】
制御・演算部１１４の内部の初期設定手段１１４ａは、Ｓ１０３の処理で得られた前回正常受信時の制御パラメータを元に、処理Ｓ１０４、Ｓ１０５において分離部１０４、音声復号部１０５、映像復号部１０７に対する初期化パラメータを設定する。図３の一般的な処理手順と異なり、この時点では、復調部１０３は必ずしも同期が確立していなくとも良い。
【００２９】
各機能ブロック（分離部、音声／映像復号部）への初期化処理が完了した後、処理Ｓ１０６において復調部１０３の同期確認を行う。この際、復調部１０３の初期化から同期確認までの時間に別の処理を実施しているため、図３における一般的な処理手順と異なり、同期確立までの確認ループ回数が減る（Ｓ５０３でＮＧとなって再確認を繰り返す回数よりも、Ｓ１０６でＮＧとなって再確認を繰り返す回数の方が少ないという意味）ことが期待される。
【００３０】
ステップＳ１０６で復調部１０３の同期確立が確認できた後、処理Ｓ１０７にて、分離部１０４が正しく分離動作を開始しているかどうか確認を行う。復調部１０３においては、自身の同期が確立していさえすれば、制御・演算部１１４がその状態を確認していなくとも正しいデータを分離部１０４へ出力することが可能である。したがって、処理Ｓ１０３において読み出した前回パラメータが現時点でのパラメータと一致した場合、制御・演算部１１４の初期設定手段１１４ａが処理Ｓ１０７を開始した時点ではすでに分離部１０４は正常動作をしているため、素早く次の処理へ進むことが可能となる。現在のパラメータとの差異が検出された場合（ステップＳ１０７でＮＧ）のみ、Ｓ１０８の処理によって一般的な手法と同様に、受信した新たな制御パラメータを用いて初期化手続きを再実行することで、次の処理へ進むことが可能となる。なおこのとき新たな制御パラメータをステップＳ９０で不揮発性記憶部１１２へ記憶する。このようにして不揮発性記憶部１１２には常に最新の制御パラメータが記憶されている。
【００３１】
その後も同様に、処理Ｓ１０９にて、音声復号部１０５および映像復号部１０７が正しく復号動作を開始しているかどうか確認を行う。分離部１０４においては、初期化されたパラメータが実際に得られているデータと整合がとれてさえおれば、制御・演算部１１４がその状態を確認していなくとも正しいデータを音声復号部１０５、映像復号部１０７へ出力することが可能である。したがって、処理Ｓ１０９において読み出した前回の制御パラメータが現時点での制御パラメータと一致した場合、制御・演算部が処理Ｓ１０９を開始した時点ではすでに音声復号部１０５および映像復号部１０７は正常動作をしているため、素早く次の処理へ進むことが可能となる。現在のパラメータとの差異が検出された場合（Ｓ１０９でＮＧ）のみ、Ｓ１１０の処理によって一般的な手法と同様に、受信した新たな制御パラメータを用いて初期化手続きを再実行することで、次の処理へ進むことが可能となる。なおこのとき新たな制御パラメータをステップＳ９１で不揮発性記憶部１１２へ記憶する。このようにして不揮発性記憶部１１２には常に最新の制御パラメータが記憶されている。以上の説明では、分離部用制御パラメータと復号部用制御バラメータとを区別せずに、説明したが、もちろん両者は異なっており、不揮発性記憶部にはそれぞれが区別して記憶されていることは言うまでもない。
なお、図２のステップＳ５０４、ステップＳ１０７、ステップＳ１０８、はこの発明に言う分離手順である。図２のステップＳ５０７、ステップＳ１０９、ステップＳ１１０、はこの発明に言う音声復号手順と映像復号手順である。ステップＳ９０とＳ９１はこの発明に言う記憶手順である。図２のステップＳ１０３、ステップＳ１０４、ステップＳ１０５、はこの発明に言う初期設定手順である。
【００３２】
以上、図２のフローに示した手法により、一連の起動手順において前回正常受信時に記憶した制御パラメータを、次回の起動時に読み出して各機能ブロックの初期化処理を先行実施することにより、図３の一般的な処理のようにシーケンシャルに起動を行う方法と比較して、効果的にシステム全体を制御し、起動時間全体を短縮できる利点がある。この短縮効果について説明するため図４に時間比較タイムチャートを示す。図４では図２のフローの処理時間経過を２０２で、図３のフローの処理時間経過を２０３で示している。又タイムチャート上に示した符号は図２，図３のフローの対応するステップを示している。図２のフローは図３のフローに比してステップＳ１０３と１０４と１０５の３つのステップＳが増えているが、ステップＳ５０５と５０８が減少しており、しかも減少したステップは解析動作を含むステップであるため時間短縮効果が現れる。
もし現在受信を行っているパラメータが前回正常受信時のパラメータと異なっていた場合でも、一般的な処理と同様にデータを解析し、パラメータを設定し直せば良いだけで、時間短縮効果は得られないが、携帯型地上デジタル放送受信機１全体が起動できなくなるという問題は発生しない。
【００３３】
実施の形態２．
実施の形態１においては、前回正常受信時のパラメータを用いることによりシステム全体の起動時間を短縮した。しかし、もし、今回の受信開始が前回最後の受信から日数が経過している場合、同じ日の再受信や数日前に受信していた場合と比較するとパラメータが変更されている可能性が大きくなってしまう。同じ日の場合においても、時間差が大きくなるほどパラメータが変更されている可能性が高まる。そこで、もし視聴を行う予定が予めわかっている場合（例えば受信予約設定をしているなど）、受信開始時刻の直前に正常パラメータを入手することにより、実施の形態１の場合と比較してより精度の高い初期化設定を行うことが可能となる。
【００３４】
例えばテレビ放送を視聴する場合、あらかじめ目的の番組が決まっており、その番組が何時から始まるかが既知であることが多い。そこで、利用者は携帯型地上デジタル放送受信機１に対してあらかじめ視聴予定の番組を予約しておく。携帯型地上デジタル放送受信機１は、予定時刻が近づいた時点（例えば５分前）において、図２に示す一連の起動処理を自動的に行い、記憶している制御パラメータによる受信開始の後に、現在の正常パラメータを入手（変わっていた場合）しておく。その結果を不揮発性記憶部１１２に保存した後、いったん各機能ブロックの処理を停止する。
【００３５】
その後、実際に番組を視聴する時間になった際に、制御・演算部１１４は実施の形態１と同様に、図２のフローチャートに従い各機能ブロックの起動を開始する。この際、不揮発性記憶部１１２に保存されている前回正常受信時のパラメータは、先ほど直前に入手したばかりのものである。よって、パラメータの保存時期を限定しない場合と比較すると信憑性が大きく増すこととなり、結果として図２の処理Ｓ１０８、処理Ｓ１１０によるリカバリー処理を実施する機会が減り、システム全体が素早く起動することが可能となる。
【産業上の利用可能性】
【００３６】
この発明によれば、前回正常受信時に入手したパラメータを保存しておき、それを適切な手順にて再利用することにより、携帯型地上デジタル放送受信機１の起動時間を短縮させることが可能になる。その結果、バッテリー駆動装置で一般的に行われている未使用機能ブロックの電源断制御を行った場合においても機能の再起動がスムーズに行うことが可能になる。結果として、装置利用時の利便性を保ったままバッテリーの駆動時間を確保することが可能となり、製品の付加価値を高めることができる。
【図面の簡単な説明】
【００３７】
【図１】本発明による実施の形態１および２における、携帯型地上デジタル放送受信機の構成を示すブロック図である。
【図２】図１の携帯型地上デジタル放送受信機の起動手順を示すフローチャートである。
【図３】携帯型地上デジタル放送受信機を動作させるための一般的な起動手順を示すフローチャートである。
【図４】図２のフローの時間短縮効果を説明するためのタイムチャートである。
【符号の説明】
【００３８】
１  携帯型地上デジタル放送受信機、    １０１    アンテナ部、
１０２    受信部、    １０３    復調部、      １０４    分離部、
１０５    音声復号部、      １０６    音声出力部、    １０７    映像復号部、
１０８    提示表示部、      １０９    映像・画像出力部、    
１１０    システムバス、    １１１    操作部、    １１２    不揮発性記憶部、
１１３    主記憶部、    １１４    制御・演算部    １１４ａ  初期設定手段。
【図１】
2006157595.tif 000003
【図２】
2006157595.tif 000004
【図３】
2006157595.tif 000005
【図４】
2006157595.tif 000006